(57)【要約】      （修正有）【課題】ユーザーが意図したリンクを表示できるための操作性を向上する。【解決手段】スマートフォンは、ウェブページＷＰを表示する。ウェブページＷＰは、画像を示す第１オブジェクトＢＪ１と、リンク先を示す第２オブジェクトとＢＪ２を含む。スマートフォンは、ディスプレー１１１、第１表示部、及び第２表示部を備える。第１表示部は、画像を示す情報がダウンロードされる前に、ウェブページＷＰのうち第１オブジェクトＢＪ１を画像が表示されることを示す第３オブジェクトＢＪ３に置き換えた代替ウェブページＷＰＡを表示する。第２表示部は、画像を示す情報がダウンロードされた後に、ウェブページＷＰを表示する。ウェブページＷＰにおける第２オブジェクトＢＪ２の表示位置が代替ウェブページＷＰＡにおける第２オブジェクトＢＪ２の表示位置と一致するように、第２表示部が第１オブジェクトＢＪ１と第２オブジェクトＢＪ２とを表示する。【選択図】図４
2018116529.tif 000002
【特許請求の範囲】
【請求項１】
ウェブページを表示する表示制御装置であって、
前記ウェブページは、画像を示す第１オブジェクトと、前記ウェブページのリンク先を示す第２オブジェクトとを含み、
ディスプレーと、
サーバー装置から前記ウェブページを示す情報をダウンロードする取得部と、
前記画像を示す情報がダウンロードされる前に代替ウェブページを前記ディスプレーに表示する第１表示部と
前記画像を示す情報がダウンロードされた後に前記ウェブページを前記ディスプレーに表示する第２表示部と
を備え、
前記代替ウェブページは、前記ウェブページのうち前記第１オブジェクトを前記画像が表示されることを示す第３オブジェクトに置き換えたウェブページを示し、
前記ウェブページにおける前記第２オブジェクトの表示位置が、前記代替ウェブページにおける前記第２オブジェクトの表示位置と一致するように、前記第２表示部が前記第１オブジェクトと前記第２オブジェクトとを表示する、表示制御装置。
【請求項２】
前記第１表示部は、前記第３オブジェクトと前記第２オブジェクトとを前記ディスプレーの長辺に沿った第１方向に並べて表示し、
前記第２表示部は、前記第１オブジェクトの前記第１方向の端部に隣接して、前記第２オブジェクトを表示する、請求項１に記載の表示制御装置。
【請求項３】
前記ウェブページにおける前記第２オブジェクトの表示位置が、前記代替ウェブページにおける前記第２オブジェクトの表示位置と一致するように、前記第２表示部は、前記第１オブジェクトのサイズを調整して表示する、請求項２に記載の表示制御装置。
【請求項４】
前記第２表示部は、前記代替ウェブページにおける前記第２オブジェクトの表示位置と同一の表示位置に、前記第２オブジェクトを表示する、請求項１に記載の表示制御装置。
【請求項５】
前記第２オブジェクトが前記第１オブジェクトの少なくとも一部と重なる場合には、前記第２表示部は、前記第２オブジェクトを前記第１オブジェクトの上層に表示する、請求項４に記載の表示制御装置。
【請求項６】
前記第１オブジェクトは、前記第１オブジェクトに対して所定の操作が行われた場合に前記第１オブジェクトのリンク先のウェブページを表示するように構成されており、
前記第１オブジェクトに対して前記所定の操作が行われた場合に、第１条件を満たすまで前記第１オブジェクトのリンク先のウェブページを表示しないよう規制する規制部を更に備える、請求項１から請求項５のいずれか１項に記載の表示制御装置。
【請求項７】
前記ウェブページは、テキストを示す第４オブジェクトを更に含み、
前記第４オブジェクトは、前記ウェブページのリンク先を示す少なくとも１つの第５オブジェクトを含み、
前記第５オブジェクトに対して前記リンク先のウェブページを表示する旨の操作が行われた場合に、前記規制部は、第２条件を満たすまで前記第５オブジェクトの前記リンク先のウェブページを表示しないよう規制する、請求項６に記載の表示制御装置。
【請求項８】
ウェブページを表示する表示制御装置であって、
前記ウェブページは、画像を示す第１オブジェクトと、前記ウェブページのリンク先を示す第２オブジェクトとを含み、
ディスプレーと、
サーバー装置から前記ウェブページを示す情報をダウンロードする取得部と、
前記画像を示す情報がダウンロードされる前に代替ウェブページを前記ディスプレーに表示する第１表示部と
前記画像を示す情報がダウンロードされた後に前記ウェブページを前記ディスプレーに表示する第２表示部と
を備え、
前記代替ウェブページは、前記ウェブページのうち前記第１オブジェクトを前記画像が表示されることを示す第３オブジェクトに置き換えたウェブページを示し、
前記第１オブジェクトは、前記第１オブジェクトに対して所定の操作が行われた場合に前記第１オブジェクトのリンク先のウェブページを表示するように構成されており、
前記第１オブジェクトに対して前記所定の操作が行われた場合に、所定の条件を満たすまで、前記第１オブジェクトのリンク先のウェブページを表示しないよう規制する規制部を更に備える、表示制御装置。
【請求項９】
ウェブページをディスプレーに表示する表示制御装置の表示制御方法であって、
前記ウェブページは、画像を示す第１オブジェクトと、前記ウェブページのリンク先を示す第２オブジェクトとを含み、
サーバー装置から前記ウェブページを示す情報をダウンロードする取得ステップと、
前記画像を示す情報がダウンロードされる前に代替ウェブページを前記ディスプレーに表示する第１表示ステップと、
前記画像を示す情報がダウンロードされた後に前記ウェブページを前記ディスプレーに表示する第２表示ステップと
を含み、
前記代替ウェブページは、前記ウェブページのうち前記第１オブジェクトを前記画像が表示されることを示す第３オブジェクトに置き換えたウェブページを示し、
前記ウェブページにおける前記第２オブジェクトの表示位置が前記代替ウェブページにおける前記第２オブジェクトの表示位置と一致するように、前記第２表示ステップにおいて前記第１オブジェクトと前記第２オブジェクトとを表示する、表示制御方法。
【請求項１０】
ウェブページをディスプレーに表示する表示制御装置の表示制御方法であって、
前記ウェブページは、画像を示す第１オブジェクトと、前記ウェブページのリンク先を示す第２オブジェクトとを含み、
サーバー装置から前記ウェブページを示す情報をダウンロードする取得ステップと、
前記画像を示す情報がダウンロードされる前に代替ウェブページを前記ディスプレーに表示する第１表示ステップと、
前記画像を示す情報がダウンロードされた後に前記ウェブページを前記ディスプレーに表示する第２表示ステップと
を含み、
前記代替ウェブページは、前記ウェブページのうち前記第１オブジェクトを前記画像が表示されることを示す第３オブジェクトに置き換えたウェブページを示し、
前記第１オブジェクトは、前記第１オブジェクトに対して所定の操作が行われた場合に前記第１オブジェクトのリンク先のウェブページを表示するように構成されており、
前記第１オブジェクトに対して前記所定の操作が行われた場合に、所定の条件を満たすまで、前記第１オブジェクトのリンク先のウェブページを表示しないよう規制する規制ステップを更に含む、表示制御方法。
【発明の詳細な説明】
【技術分野】
【０００１】
本発明は、ディスプレーを備える表示制御装置、及び表示制御方法に関する。
【背景技術】
【０００２】
特許文献１に記載のウェブ端末装置は、ウェブ端末装置に画面として表示されるウェブページを示す情報をダウンロードする時に、データ量の小さな代理コンテンツをダウンロードしてウェブページ上に表示し、続いて、データ量の大きな実コンテンツのダウンロードを開始する。
【先行技術文献】
【特許文献】
【０００３】
【特許文献１】特開２００４−１５１９８５号公報
【発明の概要】
【発明が解決しようとする課題】
【０００４】
しかしながら、特許文献１に記載のウェブ端末装置では、ユーザーが意図しないリンク画像をタッチして、リンク画像に対応するリンク先のウェブページをダウンロードして表示する可能性がある。例えば、代理コンテンツが表示されたタッチパネルにおいて、リンク画像が代理コンテンツの画像の下側に隣接して表示されている場合について以下に説明する。
【０００５】
実コンテンツのダウンロードが完了して代理コンテンツの画像に換えて実コンテンツの画像を表示する際に、実コンテンツの画像のサイズが代理コンテンツの画像のサイズがより大きいことに起因して、リンク画像の表示位置が下方に移動する。その結果、ユーザーがリンク画像のタッチ操作をする場合に、リンク画像が移動し、誤って実コンテンツの画像にタッチ操作する可能性がある。この場合には、実コンテンツのリンク先のウェブページをダウンロードして表示することになってしまう。その結果、ユーザーの操作性が低下する可能性がある。
【０００６】
本発明は、上記課題に鑑みてなされたものであり、ユーザーの操作性を向上可能な表示制御装置、及び表示制御方法を提供することを目的としている。
【課題を解決するための手段】
【０００７】
本発明の第１の表示制御装置は、ウェブページを表示する表示制御装置である。前記ウェブページは、画像を示す第１オブジェクトと、前記ウェブページのリンク先を示す第２オブジェクトとを含む。前記表示制御装置は、ディスプレー、取得部、第１表示部、及び第２表示部を備える。前記取得部は、サーバー装置から前記ウェブページを示す情報をダウンロードする。前記第１表示部は、前記画像を示す情報がダウンロードされる前に代替ウェブページを前記ディスプレーに表示する。前記代替ウェブページは、前記ウェブページのうち前記第１オブジェクトを前記画像が表示されることを示す第３オブジェクトに置き換えたウェブページを示す。前記第２表示部は、前記画像を示す情報がダウンロードされた後に前記ウェブページを前記ディスプレーに表示する。前記ウェブページにおける前記第２オブジェクトの表示位置が前記代替ウェブページにおける前記第２オブジェクトの表示位置と一致するように、前記第２表示部が前記第１オブジェクトと前記第２オブジェクトとを表示する。
【０００８】
本発明の第２の表示制御装置は、ウェブページを表示する表示制御装置である。前記ウェブページは、画像を示す第１オブジェクトと、前記ウェブページのリンク先を示す第２オブジェクトとを含む。前記表示制御装置は、ディスプレー、取得部、第１表示部、第２表示部、及び規制部を備える。前記取得部は、サーバー装置から前記ウェブページを示す情報をダウンロードする。前記第１表示部は、前記画像を示す情報がダウンロードされる前に、代替ウェブページを前記ディスプレーに表示する。前記代替ウェブページは、前記ウェブページのうち前記第１オブジェクトを前記画像が表示されることを示す第３オブジェクトに置き換えたウェブページを示す。前記第２表示部は、前記画像を示す情報がダウンロードされた後に前記ウェブページを前記ディスプレーに表示する。前記第１オブジェクトは、前記第１オブジェクトに対して所定の操作が行われた場合に前記第１オブジェクトのリンク先のウェブページを表示するように構成されている。前記規制部は、前記第１オブジェクトに対して前記所定の操作が行われた場合に、所定の条件を満たすまで、前記第１オブジェクトのリンク先のウェブページを表示しないよう規制する。
【０００９】
本発明の第１の表示制御方法は、ウェブページをディスプレーに表示する表示制御装置の表示制御方法である。前記ウェブページは、画像を示す第１オブジェクトと、前記ウェブページのリンク先を示す第２オブジェクトとを含む。前記表示制御方法は、取得ステップ、第１表示ステップ、及び第２表示ステップを含む。前記取得ステップにおいて、サーバー装置から前記ウェブページを示す情報をダウンロードする。前記第１表示ステップにおいて、前記画像を示す情報がダウンロードされる前に、代替ウェブページを前記ディスプレーに表示する。前記代替ウェブページは、前記ウェブページのうち前記第１オブジェクトを前記画像が表示されることを示す第３オブジェクトに置き換えたウェブページを示す。前記第２表示ステップにおいて、前記画像を示す情報がダウンロードされた後に前記ディスプレーに前記ウェブページを表示する。前記ウェブページにおける前記第２オブジェクトの表示位置が、前記代替ウェブページにおける前記第２オブジェクトの表示位置と一致するように、前記第２表示ステップにおいて前記第１オブジェクトと前記第２オブジェクトとを表示する。
【００１０】
本発明の第２の表示制御方法は、ウェブページをディスプレーに表示する表示制御装置の表示制御方法である。前記ウェブページは、画像を示す第１オブジェクトと、前記ウェブページのリンク先を示す第２オブジェクトとを含む。前記表示制御方法は、取得ステップ、第１表示ステップ、第２表示ステップ、及び規制ステップを含む。前記取得ステップにおいて、前記サーバー装置から前記ウェブページを示す情報をダウンロードする。前記第１表示ステップにおいて、前記画像を示す情報がダウンロードされる前に代替ウェブページを前記ディスプレーに表示する。前記代替ウェブページは、前記ウェブページのうち前記第１オブジェクトを前記画像が表示されることを示す第３オブジェクトに置き換えたウェブページを示す。前記第２表示ステップにおいて、前記画像を示す情報がダウンロードされた後に前記ディスプレーに前記ウェブページを表示する。前記第１オブジェクトは、前記第１オブジェクトに対して所定の操作が行われた場合に前記第１オブジェクトのリンク先のウェブページを表示するように構成されている。前記規制ステップにおいて、前記第１オブジェクトに対して前記所定の操作が行われた場合に、所定の条件を満たすまで、前記第１オブジェクトのリンク先のウェブページを表示しないよう規制する。
【発明の効果】
【００１１】
本発明の表示制御装置、及び表示制御方法によれば、ユーザーの操作性を向上できる。
【図面の簡単な説明】
【００１２】
【図１】本発明の実施形態に係るスマートフォンの接続状態を示す図である。
【図２】本発明の実施形態に係るスマートフォンの構成を示す図である。
【図３】本発明の第１実施形態、及び第２実施形態に係る制御部の構成を示す図である。
【図４】第１実施形態における制御部の処理の一例を示す画面図である。（ａ）は、画像情報がダウンロードされる前の画面を示す。（ｂ）は、画像情報がダウンロードされた後の画面を示す。
【図５】第１実施形態における制御部の処理を示すフローチャートである。
【図６】第２実施形態における制御部の処理の一例を示す画面図である。（ａ）は、画像情報がダウンロードされる前の画面を示す。（ｂ）は、画像情報がダウンロードされた後の画面を示す。
【図７】第２実施形態における制御部の処理を示すフローチャートである。
【図８】本発明の第３実施形態に係る制御部の構成を示す図である。
【図９】第３実施形態における制御部の処理の一例を示す画面図である。（ａ）は、画像情報がダウンロードされる前の画面を示す。（ｂ）は、画像情報がダウンロードされた後の画面を示す。
【図１０】第３実施形態における制御部の処理を示すフローチャートである。
【発明を実施するための形態】
【００１３】
以下、本発明の実施形態について、図面（図１〜図１０）を参照しながら説明する。なお、図中、同一又は相当部分については同一の参照符号を付して説明を繰り返さない。
【００１４】
＜第１実施形態〜第３実施形態に共通する構成＞
まず、図１及び図２を参照して、第１実施形態〜第３実施形態に共通する構成について説明する。図１は、本発明の実施形態に係るスマートフォン１の接続状態を示す図である。図１に示すように、スマートフォン１は、ネットワーク３を介して、サーバー装置２と通信可能に接続されている。ネットワーク３は、例えば、インターネットである。
【００１５】
スマートフォン１は、ネットワーク３を介して、サーバー装置２からウェブページ情報をダウンロードして表示する。ウェブページ情報は、「ウェブページを示す情報」に相当する。スマートフォン１は、「表示制御装置」の一例に相当する。
【００１６】
サーバー装置２は、スマートフォン１からの要求に応じて、スマートフォン１にネットワーク３を介してウェブページ情報を送信する。
【００１７】
次に、図１及び図２を参照して本発明の実施形態に係るスマートフォン１の構成について説明する。図２は、スマートフォン１の構成を示す図である。図２に示すように、スマートフォン１は、タッチパネル１１、制御部１２及び通信部１３を備える。
【００１８】
タッチパネル１１は、画像を表示すると共に、ユーザーからの操作を受け付ける。制御部１２は、タッチパネル１１の動作を制御する。通信部１３は、ネットワーク３を介して、サーバー装置２からウェブページ情報を受信する。
【００１９】
タッチパネル１１は、ディスプレー１１１、及びタッチセンサー１１２を備える。ディスプレー１１１は画像を表示する。タッチセンサー１１２はタッチパネル１１への物体の接触位置を検出する。タッチセンサー１１２は、例えばディスプレー１１１の表示面上に配置される。
【００２０】
制御部１２は、プロセッサー１２Ａ、及び記憶部１２Ｂを備える。プロセッサー１２Ａは、例えばＣＰＵ（Ｃｅｎｔｒａｌ  Ｐｒｏｃｅｓｓｉｎｇ  Ｕｎｉｔ）を備える。記憶部１２Ｂは、半導体メモリーのようなメモリーを備え、ＨＤＤ（Ｈａｒｄ  Ｄｉｓｋ  Ｄｒｉｖｅ）を備えてもよい。記憶部１２Ｂは、制御プログラムを記憶している。
【００２１】
通信部１３は、ＷｉＦｉのような無線通信を介してサーバー装置２と通信可能に接続する。また、通信部１３は、基地局を介して、サーバー装置２と通信可能に接続する。
【００２２】
＜第１実施形態、及び第２実施形態に共通する構成＞
次に、図１〜図４を参照して本発明の第１実施形態、及び第２実施形態に係る制御部１２の構成について説明する。図３は、制御部１２の構成を示す図である。図４は、第１実施形態における制御部１２の処理の一例を示す画面図である。図４（ａ）は、画像情報がダウンロードされる前の画面を示す。図４（ｂ）は、画像情報がダウンロードされた後の画面を示す。
【００２３】
図３に示すように、制御部１２は、取得部１２１、第１表示部１２２及び第２表示部１２３を備える。具体的には、プロセッサー１２Ａは、制御プログラムを実行することによって、取得部１２１、第１表示部１２２及び第２表示部１２３として機能する。以下では、図４を参照して図３に示す制御部１２の構成について説明する。
【００２４】
取得部１２１は、通信部１３を介して、サーバー装置２からウェブページ情報をダウンロードする。図４（ｂ）に示すように、ウェブページＷＰは、画像を示す第１オブジェクトＢＪ１と、ウェブページＷＰのリンク先を示す第２オブジェクトＢＪ２とを含む。本発明の実施形態では、ウェブページＷＰが、例えば、ニュースを示す場合について説明する。取得部１２１は、まず、第１オブジェクトＢＪ１以外の情報をサーバー装置２からダウンロードし、その後、第１オブジェクトＢＪ１に対応する画像情報をサーバー装置２からダウンロードする。
【００２５】
第１表示部１２２は、取得部１２１によって画像情報がダウンロードされる前に、図４（ａ）に示すように、代替ウェブページＷＰＡをディスプレー１１１に表示する。代替ウェブページＷＰＡは、ウェブページＷＰのうち第１オブジェクトＢＪ１を画像が表示されることを示す第３オブジェクトＢＪ３に置き換えたウェブページを示す。画像情報は、「画像を示す情報」に相当する。画像は、第１オブジェクトＢＪ１に対応する。また、本発明の実施形態において、画像は動画像を含む。
【００２６】
第２表示部１２３は、取得部１２１によって画像情報がダウンロードされた後に、ウェブページＷＰをディスプレー１１１に表示する。具体的には、第２表示部１２３が表示する第２オブジェクトＢＪ２の表示位置が、第１表示部１２２が表示する第２オブジェクトＢＪ２の表示位置と一致するように、第２表示部１２３が前記第１オブジェクトＢＪ１と第２オブジェクトＢＪ２とを表示する。
【００２７】
以上、図１〜図４を参照して説明したように、本発明の実施形態では、画像を示す情報がダウンロードされる前に第１表示部１２２が代替ウェブページＷＰＡを表示し、画像を示す情報がダウンロードした後に第２表示部１２３がウェブページＷＰを表示する。また、ウェブページＷＰにおける第２オブジェクトＢＪ２の表示位置が代替ウェブページＷＰＡにおける第２オブジェクトＢＪ２の表示位置と一致するように、第２表示部１２３が第１オブジェクトＢＪ１と第２オブジェクトＢＪ２とを表示する。よって、ウェブページＷＰのリンク先を示す第２オブジェクトＢＪ２の表示位置が、画像を示す情報がダウンロードされる前後で変化しない。したがって、ユーザーの操作性を向上できる。
【００２８】
＜第１実施形態＞
次に、図１〜図５を参照して、第１実施形態における制御部１２の処理について説明する。
【００２９】
図４（ａ）に示すように、ディスプレー１１１には代替ウェブページＷＰＡが表示されている。代替ウェブページＷＰＡは、第２オブジェクトＢＪ２、第３オブジェクトＢＪ３、第４オブジェクトＢＪ４及び第６オブジェクトＢＪ６を含む。また、第１方向ＤＲ１は、ディスプレー１１１の長辺に沿った方向（下方向）を示す。第２方向ＤＲ２は、ディスプレー１１１の短辺に沿った方向（右方向）を示す。
【００３０】
第２オブジェクトＢＪ２は、代替ウェブページＷＰＡにおいて第３オブジェクトＢＪ３及び第４オブジェクトＢＪ４の第１方向ＤＲ１の先端側（下側）に隣接して配置される。また、第２オブジェクトＢＪ２は、ウェブページＷＰのリンク先を示す。リンク先は、例えば、ウェブページＷＰに記載されたニュースの詳細な内容が記載された詳細ウェブページである。すなわち、第２オブジェクトＢＪ２に対応する位置に対してユーザーがタッチ操作を行うと、制御部１２は、詳細ウェブページをダウンロードしてディスプレー１１１に表示する。
【００３１】
第３オブジェクトＢＪ３は、第６オブジェクトＢＪ６の第１方向ＤＲ１の先端側（下側）に隣接して配置される。また、第３オブジェクトＢＪ３は、第４オブジェクトＢＪ４の第２方向ＤＲ２の先端側（右側）に隣接して配置される。第３オブジェクトＢＪ３は、第１オブジェクトＢＪ１の画像が表示されることを示す。第３オブジェクトＢＪ３のサイズは、第１オブジェクトＢＪ１のサイズより小さい。例えば、第３オブジェクトＢＪ３の左右方向のサイズは、第１オブジェクトＢＪ１の左右方向のサイズと略同一であり、第３オブジェクトＢＪ３の上下方向のサイズは、第１オブジェクトＢＪ１の上下方向のサイズより小さい。第３オブジェクトＢＪ３は、例えば、取得部１２１が第１オブジェクトＢＪ１をダウンロードする前に、取得部１２１がサーバー装置２からダウンロードする。
【００３２】
第４オブジェクトＢＪ４は、第６オブジェクトＢＪ６の第１方向ＤＲ１の先端側（下側）に隣接して配置される。また、第４オブジェクトＢＪ４は、代替ウェブページＷＰＡにおいて第２方向ＤＲ２の後端側（左側）の端部に配置される。第４オブジェクトＢＪ４は、ニュースの概要を説明するテキスト情報を示す。
【００３３】
第６オブジェクトＢＪ６は、代替ウェブページＷＰＡにおいて第１方向ＤＲ１の後端側（上側）の端部であり、且つ、代替ウェブページＷＰＡにおいて第２方向ＤＲ２の後端側（左側）の端部に配置される。第６オブジェクトＢＪ６は、ニュースのタイトルであるテキスト情報を示す。
【００３４】
図４（ｂ）に示すように、ディスプレー１１１には第１ウェブページＷＰ１が表示されている。第１ウェブページＷＰ１は、代替ウェブページＷＰＡと比較して、第３オブジェクトＢＪ３に換えて、第１オブジェクトＢＪ１Ａを表示する点で相違している。以下では、代替ウェブページＷＰＡと相違する点を主に説明する。第１ウェブページＷＰ１は、ウェブページＷＰの一例に相当する。
【００３５】
第１ウェブページＷＰ１は、第１オブジェクトＢＪ１Ａ、第２オブジェクトＢＪ２、第４オブジェクトＢＪ４及び第６オブジェクトＢＪ６を含む。また、図４（ｂ）には、仮想線で第１オブジェクトＢＪ１のサイズを示している。
【００３６】
第１ウェブページＷＰ１では、第２オブジェクトＢＪ２の表示位置が代替ウェブページＷＰＡにおける第２オブジェクトＢＪ２の表示位置と一致するように、第１オブジェクトＢＪ１に換えて第１オブジェクトＢＪ１Ａを表示している。
【００３７】
具体的には、第２表示部１２３は、第１オブジェクトＢＪ１の第１方向ＤＲ１のサイズが第４オブジェクトＢＪ４の第１方向ＤＲ１のサイズと略一致するように縮小した第１オブジェクトＢＪ１Ａを第１オブジェクトＢＪ１に換えて表示する。
【００３８】
次に、図１〜図５を参照して、第１実施形態における制御部１２の処理について説明する。図５は、第１実施形態における制御部１２の処理を示すフローチャートである。
図５に示すように、ステップＳ１０１において、取得部１２１がウェブページＷＰを表示するか否かを判定する。例えば、取得部１２１は、ユーザーからのタッチパネル１１による操作に基づいて、ウェブページＷＰを表示するか否かを判定する。
ウェブページＷＰを表示しないと取得部１２１が判定した場合（ステップＳ１０１でＮＯ）には、処理が待機状態になる。ウェブページＷＰを表示すると取得部１２１が判定した場合（ステップＳ１０１でＹＥＳ）には、処理がステップＳ１０３に進む。
そして、ステップＳ１０３において、取得部１２１がサーバー装置２からウェブページＷＰのダウンロードを開始する。
【００３９】
次に、ステップＳ１０５において、制御部１２が第１オブジェクトＢＪ１に対応する画像情報をダウンロードしたか否かを判定する。
画像情報をダウンロードしたと制御部１２が判定した場合（ステップＳ１０５でＹＥＳ）には、処理がステップＳ１１１に進む。画像情報をダウンロードしていないと制御部１２が判定した場合（ステップＳ１０５でＮＯ）には、処理がステップＳ１０７に進む。
そして、ステップＳ１０７において、第１表示部１２２は、代替ウェブページＷＰＡを生成する。
次に、ステップＳ１０９において、第１表示部１２２は、代替ウェブページＷＰＡをディスプレー１１１に表示して、処理がステップＳ１０５に戻る。
【００４０】
ステップＳ１０５でＹＥＳの場合には、ステップＳ１１１において、第２表示部１２３は、第１オブジェクトＢＪ１サイズを調整して第１オブジェクトＢＪ１Ａを生成する。
そして、ステップＳ１１３において、第２表示部１２３は、第１ウェブページＷＰ１をディスプレー１１１に表示して、処理が終了する。第１ウェブページＷＰ１は、ウェブページＷＰの第１オブジェクトＢＪ１を第１オブジェクトＢＪ１Ａに置き換えたウェブページを示す。
【００４１】
ステップＳ１０３が「取得ステップ」の一例に相当する。ステップＳ１０７及びステップＳ１０９が、「第１表示ステップ」の一例に相当する。ステップＳ１１１及びステップＳ１１３が「第２表示ステップ」の一例に相当する。
【００４２】
以上、図１〜図５を参照して説明したように、本発明の第１実施形態では、第１表示部１２２は、第３オブジェクトＢＪ３と第２オブジェクトＢＪ２とをディスプレー１１１の長辺に沿った第１方向ＤＲ１に並べて表示する。また、第２表示部１２３は、第１オブジェクトＢＪ１の第１方向ＤＲ１の端部に隣接して、第２オブジェクトＢＪ２を表示する。よって、第３オブジェクトＢＪ３が、第３オブジェクトＢＪ３よりサイズの大きい第１オブジェクトＢＪ１に更新される際に、第２オブジェクトＢＪ２が第１方向ＤＲ１に移動する可能性がある。しかしながら、代替ウェブページＷＰＡにおける第２オブジェクトＢＪ２の表示位置と、第１ウェブページＷＰ１における第２オブジェクトＢＪ２の表示位置とが一致するように、第２表示部１２３が第１オブジェクトＢＪ１と第２オブジェクトＢＪ２とを表示する。よって、第２オブジェクトＢＪ２の表示位置が、画像を示す情報がダウンロードされる前後で変化しない。したがって、ユーザーの操作性を向上できる。
【００４３】
また、第２表示部１２３が表示する第２オブジェクトＢＪ２の表示位置が、第１表示部１２２が表示する第２オブジェクトＢＪ２の表示位置と一致するように、第２表示部１２３は、第１オブジェクトＢＪ１のサイズを調整して表示する。よって、画像を示す情報がダウンロードされる前における第２オブジェクトＢＪ２の表示位置と、画像を示す情報がダウンロードされた後における第２オブジェクトＢＪ２の表示位置とを一致させることができる。したがって、ユーザーの操作性を向上できる。
【００４４】
＜第２実施形態＞
次に、図１〜図３及び図６を参照して、第２実施形態における制御部１２の処理について説明する。図６は、第２実施形態における制御部１２の処理の一例を示す画面図である。図６（ａ）は、画像情報がダウンロードされる前の画面を示す。図６（ｂ）は、画像情報がダウンロードされた後の画面を示す。
【００４５】
図６（ａ）に示すように、ディスプレー１１１には代替ウェブページＷＰＡが表示されている。図６（ａ）に示す代替ウェブページＷＰＡは、図４（ａ）に示す代替ウェブページＷＰＡと同一であるため、その説明を省略する。
【００４６】
図６（ｂ）に示すように、ディスプレー１１１には第２ウェブページＷＰ２が表示されている。第２ウェブページＷＰ２は、代替ウェブページＷＰＡと比較して第３オブジェクトＢＪ３に換えて、第１オブジェクトＢＪ１を表示する点で相違している。以下では、代替ウェブページＷＰＡと相違する点について主に説明する。第２ウェブページＷＰ２は、ウェブページＷＰの一例に相当する。
【００４７】
第２ウェブページＷＰ２は、第１オブジェクトＢＪ１、第２オブジェクトＢＪ２、第４オブジェクトＢＪ４及び第６オブジェクトＢＪ６を含む。
【００４８】
第２オブジェクトＢＪ２の表示位置が代替ウェブページＷＰＡにおける第２オブジェクトＢＪ２の表示位置と一致するように、第２オブジェクトＢＪ２が表示されている。また、第２オブジェクトＢＪ２の一部が、第１オブジェクトＢＪ１と重なっている。第１オブジェクトＢＪ１と第２オブジェクトＢＪ２とが重なっている領域には、第２オブジェクトＢＪ２が表示されている。
【００４９】
第２表示部１２３は、図６（ａ）に示す代替ウェブページＷＰＡにおける第２オブジェクトＢＪ２の表示位置と同一の表示位置に、第２オブジェクトＢＪ２を表示する。また、第２オブジェクトＢＪ２が第１オブジェクトＢＪ１の少なくとも一部と重なる場合には、第２表示部１２３は、第２オブジェクトＢＪ２を第１オブジェクトＢＪ１の上層に表示する。その結果、第１オブジェクトＢＪ１の少なくとも一部が第２オブジェクトＢＪ２で隠れている。
【００５０】
次に、図１〜図３及び図５〜図７を参照して、第２実施形態における制御部１２の処理について説明する。図７は、第２実施形態における制御部１２の処理を示すフローチャートである。
【００５１】
図７に示すフローチャートにおいて、ステップＳ２０１〜ステップＳ２０９の処理は、それぞれ、図５に示すフローチャートのステップＳ１０１〜ステップＳ１０９と同一の処理であるため、その説明を省略する。以下では、ステップＳ２１１以降の処理について説明する。
【００５２】
画像情報をダウンロードしたと制御部１２が判定した場合（ステップＳ２０５でＹＥＳ）には、ステップＳ２１１において、代替ウェブページＷＰＡにおける第２オブジェクトＢＪ２の表示位置と同一の表示位置に、第２表示部１２３が第２ウェブページＷＰ２における第２オブジェクトＢＪ２を表示する。
また、第２ウェブページＷＰ２において第２オブジェクトＢＪ２が第１オブジェクトＢＪ１の少なくとも一部と重なる場合には、第２表示部１２３は、第２オブジェクトＢＪ２を第１オブジェクトＢＪ１の上層に表示する。
次に、ステップＳ２１３において、第２表示部１２３は、第２ウェブページＷＰ２をディスプレー１１１に表示して、処理が終了する。
【００５３】
以上、図１〜図３及び図５〜図７を参照して説明したように、本発明の第２実施形態では、第２表示部１２３は、代替ウェブページＷＰＡにおける第２オブジェクトＢＪ２の表示位置と同一の表示位置に、第２ウェブページＷＰ２における第２オブジェクトＢＪ２を表示する。よって、画像を示す情報がダウンロードされる前における第２オブジェクトＢＪ２の表示位置と、画像を示す情報がダウンロードされた後における第２オブジェクトＢＪ２の表示位置とを一致させることができる。したがって、ユーザーの操作性を向上できる。
【００５４】
また、第２オブジェクトＢＪ２が第１オブジェクトＢＪ１の少なくとも一部と重なる場合には、第２表示部１２３は、第２オブジェクトＢＪ２を第１オブジェクトＢＪ１の上層に表示する。よって、第２オブジェクトＢＪ２が第１オブジェクトＢＪ１で隠れる事態の発生を回避できる。したがって、第２オブジェクトＢＪ２の視認性を確保できる。その結果、ユーザーの操作性を更に向上できる。
【００５５】
＜第３実施形態＞
次に、図１〜図３及び図８〜図１０を参照して、第３実施形態に係る制御部１２について説明する。図８は、第３実施形態に係る制御部１２０の構成を示す図である。図９は、第３実施形態における制御部１２０の処理の一例を示す画面図である。図９（ａ）は、画像情報がダウンロードされる前の画面を示す。図９（ｂ）は、画像情報がダウンロードされた後の画面を示す。制御部１２０は、規制部１２４を備え、第２表示部１２３に換えて第２表示部１２３Ａを備える点で、図３に示す第１実施形態及び第２実施形態に係る制御部１２と相違している。以下では、制御部１２と相違する構成について主に説明する。
【００５６】
第２表示部１２３Ａは、取得部１２１によって画像情報がダウンロードされた後に、第３ウェブページＷＰ３をディスプレー１１１に表示する。第３ウェブページＷＰ３は、ウェブページＷＰの一例に相当する。
【００５７】
規制部１２４は、第３ウェブページＷＰ３の第１オブジェクトＢＪ１に対してタッチ操作が行われた場合に、第１条件を満たすまで、第１オブジェクトＢＪ１のリンク先の詳細ウェブページを表示しないよう規制する。例えば、規制部１２４は、第１オブジェクトＢＪ１のリンクの機能を規制する。具体的には、規制部１２４は、第１オブジェクトＢＪ１のリンクを非アクティブの状態にする。タッチ操作は、「所定の操作」の一例に相当する。
【００５８】
「第１条件」は、例えば、第２表示部１２３Ａが第３ウェブページＷＰ３を表示した時点から所定時間が経過したことである。所定時間は、例えば、１０秒である。また、「所定の条件」が、ユーザーによって特定の操作が行われたことでもよい。特定の操作は、例えば、スクロール操作である。
【００５９】
また、第３ウェブページＷＰ３は、図９（ｂ）に示すように、第４オブジェクトＢＪ４を含む。第４オブジェクトＢＪ４は、ニュースの概要を説明するテキスト情報を示す。第４オブジェクトＢＪ４は、第５オブジェクトＢＪ５を含む。第５オブジェクトＢＪ５は、第３ウェブページＷＰ３のリンク先を示す。
【００６０】
第３ウェブページＷＰ３の第５オブジェクトＢＪ５に対してリンク先のウェブページを表示する旨の操作（例えば、タッチ操作）が行われた場合に、規制部１２４は、第２条件を満たすまで、第５オブジェクトＢＪ５のリンク先のウェブページを表示しないよう規制する。例えば、規制部１２４は、第５オブジェクトＢＪ５のリンクの機能を規制する。具体的には、規制部１２４は、第５オブジェクトＢＪ５のリンクを非アクティブの状態にする。
【００６１】
第２条件は、例えば、第１条件と同じ条件を示す。
【００６２】
次に、図１〜図５及び図８〜図１０を参照して、制御部１２０の処理について説明する。図９（ａ）に示す画面は、図４（ａ）に示す画面と比較して、第４オブジェクトＢＪ４が第５オブジェクトＢＪ５を含む点で相違している。
【００６３】
図９（ｂ）に示すように、ディスプレー１１１には第３ウェブページＷＰ３が表示されている。第３ウェブページＷＰ３は、代替ウェブページＷＰＡと比較して第３オブジェクトＢＪ３に換えて、第１オブジェクトＢＪ１Ａを表示する点で相違している。また、第３ウェブページＷＰ３は、代替ウェブページＷＰＡと比較して、第５オブジェクトＢＪ５のリンクの機能が制限されている点で相違している。更に、第３ウェブページＷＰ３では、第１オブジェクトＢＪ１のリンクが規制されている。
【００６４】
図１０は、第３実施形態における制御部１２０の処理を示すフローチャートである。図１０に示すフローチャートにおいて、ステップＳ３０１〜ステップＳ３０９の処理は、それぞれ、図５に示すフローチャートのステップＳ１０１〜ステップＳ１０９と同一の処理であるため、その説明を省略する。以下では、ステップＳ３１１以降の処理について説明する。
【００６５】
画像情報をダウンロードしたと制御部１２０が判定した場合（ステップＳ３０５でＹＥＳ）には、ステップＳ３１１において、規制部１２４は、第１オブジェクトＢＪ１のリンク、及び第５オブジェクトＢＪ５のリンクの機能を制限する。
次に、ステップＳ３１３において、第２表示部１２３Ａは、第３ウェブページＷＰ３をディスプレー１１１に表示して、処理が終了する。
【００６６】
ステップＳ３０３が「取得ステップ」の一例に相当する。ステップＳ３０７及びステップＳ３０９が、「第１表示ステップ」の一例に相当する。ステップＳ３１１が「規制ステップ」の一例に相当する。ステップＳ３１３が「第２表示ステップ」の一例に相当する。
【００６７】
以上、図１〜図５及び図８〜図１０を参照して説明したように、本発明の第３実施形態では、第１オブジェクトＢＪ１は、第１オブジェクトＢＪ１に対してタッチ操作が行われた場合に第１オブジェクトＢＪ１のリンク先のウェブページを表示するように構成されている。規制部１２４は、第１オブジェクトＢＪ１に対してタッチ操作が行われた場合に、第１条件を満たすまで、第１オブジェクトＢＪ１のリンク先のウェブページを表示しないよう規制する。よって、第１オブジェクトＢＪ１に対して誤ってタッチ操作が行われた場合であっても、第１オブジェクトＢＪ１のリンク先のウェブページが表示されない。したがって、ユーザーの操作性を向上できる。
【００６８】
また、第５オブジェクトＢＪ５に対してリンク先のウェブページを表示する旨の操作（タッチ操作）が行われた場合であっても、規制部１２４は、第２条件を満たすまで、第５オブジェクトＢＪ５のリンク先のウェブページを表示しないよう規制する。よって、第５オブジェクトＢＪ５に対して誤ってタッチ操作が行われた場合であっても、第５オブジェクトＢＪ５のリンク先のウェブページが表示されない。したがって、ユーザーの操作性を向上できる。
【００６９】
以上、図面を参照しながら本発明の実施形態について説明した。ただし、本発明は、上記の実施形態に限られるものではなく、その要旨を逸脱しない範囲で種々の態様において実施することが可能である（例えば、下記に示す（１）〜（７））。図面は、理解し易くするために、それぞれの構成要素を主体に模式的に示しており、図示された各構成要素の厚み、長さ、個数等は、図面作成の都合上から実際とは異なる場合がある。また、上記の実施形態で示す各構成要素の形状、寸法等は一例であって、特に限定されるものではなく、本発明の構成から実質的に逸脱しない範囲で種々の変更が可能である。
【００７０】
（１）図１を参照して説明したように、本発明の実施形態では、「表示制御装置」がスマートフォン１であるが、本発明はこれに限定されない。「表示制御装置」がディスプレー１１１と制御部１２と通信部１３とを備えればよい。例えば、「表示制御装置」が、パーソナルコンピューターである形態でもよい。具体的には、「表示制御装置」が、タブレット型パーソナルコンピューターである形態でもよい。
【００７１】
（２）図１〜図１０を参照して説明したように、本発明の実施形態では、ウェブページＷＰがニュースを示すが、本発明はこれに限定されない。ウェブページＷＰが画像を示す第１オブジェクトと、ウェブページＷＰのリンク先を示す第２オブジェクトとを含めばよい。例えば、ウェブページＷＰが会社のような団体又は個人のホームページの一部である形態でもよい。
【００７２】
（３）図１〜図１０を参照して説明したように、本発明の実施形態では、第１オブジェクトＢＪ１が画像を示すが、本発明はこれに限定されない。第１オブジェクトが画像及び動画像の少なくとも一方を示す形態であればよい。例えば、第１オブジェクトが画像及び動画像を示す形態でもよい。
【００７３】
（４）図１〜図１０を参照して説明したように、本発明の実施形態では、第２オブジェクトＢＪ２のリンク先が詳細ウェブページであるが、本発明はこれに限定されない。第２オブジェクトがリンク先を示せばよい。例えば、第２オブジェクトＢＪ２のリンク先が、ウェブページＷＰに記載された情報と関連する情報が記載されたウェブページでもよい。
【００７４】
（５）図１〜図１０を参照して説明したように、本発明の実施形態では、第３オブジェクトＢＪ３を取得部１２１がサーバー装置２からダウンロードするが、本発明はこれに限定されない。第３オブジェクトＢＪ３が、画像が表示されることを示せばよい。例えば、第３オブジェクトＢＪ３が、スマートフォン１に記憶されたオブジェクトである形態でもよい。
【００７５】
（６）図１〜図１０を参照して説明したように、本発明の実施形態では、「所定の操作」がタッチ操作であるが、本発明はこれに限定されない。「所定の操作」がリンク先のウェブページを表示する旨の操作であればよい。例えば、「所定の操作」がダブルタップ操作である形態でもよい。また、例えば、「所定の操作」がスワイプ操作である形態でもよい。更に、例えば「所定の操作」がマウスに対する左クリック操作である形態でもよい。
【００７６】
（７）図１〜図５及び図８〜図１０を参照して説明したように、本発明の第３実施形態では、規制部１２４が第１オブジェクトＢＪ１のリンク先のウェブページを表示しないよう規制し、且つ第５オブジェクトＢＪ５のリンク先のウェブページを表示しないよう規制するが、本発明はこれに限定されない。規制部が第１オブジェクトＢＪ１のリンク先のウェブページを表示しないよう規制すればよい。例えば、規制部が第１オブジェクトＢＪ１のリンク先のウェブページだけを表示しないよう規制する形態でもよい。また、例えば、規制部がウェブページＷＰに含まれる全てのオブジェクトのリンク先のウェブページを表示しないよう規制する形態でもよい。
【産業上の利用可能性】
【００７７】
本発明は、ディスプレーを備える表示制御装置、及び表示制御方法に利用可能である。
【符号の説明】
【００７８】
１    スマートフォン（表示制御装置）
１１    タッチパネル
１１１    ディスプレー
１１２    タッチセンサー
１２、１２０    制御部
１２Ａ    プロセッサー
１２Ｂ    記憶部
１３    通信部
１２１    取得部
１２２    第１表示部
１２３、１２３Ａ    第２表示部
１２４    規制部
ＢＪ１    第１オブジェクト
ＢＪ２    第２オブジェクト
ＢＪ３    第３オブジェクト
ＢＪ４    第４オブジェクト
ＢＪ５    第５オブジェクト
ＤＲ１    第１方向
ＤＲ２    第２方向
ＷＰ、ＷＰ１、ＷＰ２、ＷＰ３    ウェブページ
ＷＰ１    第１ウェブページ
ＷＰ２    第２ウェブページ
ＷＰ３    第３ウェブページ
ＷＰＡ    代替ウェブページ
【図１】
2018116529.tif 000003
【図２】
2018116529.tif 000004
【図３】
2018116529.tif 000005
【図４】
2018116529.tif 000006
【図５】
2018116529.tif 000007
【図６】
2018116529.tif 000008
【図７】
2018116529.tif 000009
【図８】
2018116529.tif 000010
【図９】
2018116529.tif 000011
【図１０】
2018116529.tif 000012